(57)【要約】【課題】疾病以外の睡眠不足などによる被験者の体調不良状態を推定することが可能な体調判定装置を提供する。【解決手段】体調判定装置は、温度センサ２０と体調不良推定部３６とタイマ３７とを備える。温度センサ２０は、被験者の体のうち、被験者の体調が良好である体調良好状態に対して被験者の体調が良好でない体調不良状態の温度が低下し易い特定部分の温度を検出する。タイマ３７は、温度センサが検出した特定部分の温度が所定温度以下であるときに、その継続時間を計測する。体調不良推定部３６は、タイマ３７が計測した継続時間が所定時間以上であるときに、被験者が体調不良状態であると推定する。【選択図】図２
2011125474.tif 000002
【特許請求の範囲】
【請求項１】
被験者の体のうち、当該被験者の体調が良好である体調良好状態に対して当該被験者の体調が良好でない体調不良状態の温度が低下し易い特定部分の温度を検出する温度検出手段と、
前記温度検出手段が検出した前記特定部分の温度が所定温度以下であるときに、その継続時間を計測する計時手段と、
前記計時手段が計測した継続時間が所定時間以上であるときに、前記被験者が体調不良状態であると推定する体調不良推定手段と、を備えた
ことを特徴とする体調判定装置。
【請求項２】
請求項１に記載の体調判定装置であって、
前記所定温度は、前記体調良好状態における前記被験者の前記特定部分の温度に基づいて設定される
ことを特徴とする体調判定装置。
【請求項３】
請求項１に記載の体調判定装置であって、
前記被験者の体のうち、前記体調良好状態に対して前記体調不良状態の温度が低下し難い第２の特定部分の温度を検出する第２の温度検出手段を備え、
前記所定温度は、前記第２の温度検出手段が検出した前記第２の特定部分の温度に基づいて設定される
ことを特徴とする体調判定装置。
【請求項４】
請求項３に記載の体調判定装置であって、
前記所定温度は、前記第２の温度検出手段が検出した前記第２の特定部分の温度と、前記体調良好状態における前記被験者の前記特定部分及び前記第２の特定部分の温度に基づいて設定される
ことを特徴とする体調判定装置。
【発明の詳細な説明】
【技術分野】
【０００１】
本発明は、被験者の体調不良状態を推定する体調判定装置に関する。
【背景技術】
【０００２】
特開平９−２８６７８号公報には、人体の体幹部の皮膚温度と抹消部の皮膚温度との温度差を測定し、温度差が１．４９℃のときストレス度が５０であり、温度差が２．９８℃以上のときストレス度が１００であると推定するストレス測定装置が記載されている。
【０００３】
また、特開２００６−２３１０６５号公報には、赤外線を検出するカメラが撮像した画像に基づいて被験者の額や鼻筋の温度を検出し、検出した温度が華氏９９．６度を超えていたときにアラームを発するシステムが記載されている。
【先行技術文献】
【特許文献】
【０００４】
【特許文献１】特開平９−２８６７８号公報
【特許文献２】特開２００６−２３１０６５号公報
【発明の概要】
【発明が解決しようとする課題】
【０００５】
しかし、上記特開平９−２８６７８号公報のストレス測定装置や上記特開２００６−２３１０６５号公報のシステムでは、疾病以外の睡眠不足などによる体調不良については、検知することができない。
【０００６】
本発明は、上記実情に鑑みてなされたものであり、疾病以外の睡眠不足などによる被験者の体調不良状態を推定することが可能な体調判定装置の提供を目的とする。
【課題を解決するための手段】
【０００７】
上記目的を達成すべく、本発明の第１の態様の体調判定装置は、温度検出手段と計時手段と体調不良推定手段とを備える。
【０００８】
温度検出手段は、被験者の体のうち、被験者の体調が良好である体調良好状態に対して被験者の体調が良好でない体調不良状態の温度が低下し易い特定部分の温度を検出する。計時手段は、温度検出手段が検出した特定部分の温度が所定温度以下であるときに、その継続時間を計測する。体調不良推定手段は、計時手段が計測した継続時間が所定時間以上であるときに、被験者が体調不良状態であると推定する。
【０００９】
特定部分としては、例えば鼻が設定される。ただし、被験者の体のうち、体調良好状態に対して体調不良状態の温度が低下し易い部分であれば、鼻に限定されるものではない。
【００１０】
なお、発熱により被験者の特定部分の温度が所定温度を超えている状態は、体調不良状態に含んでいない。
【００１１】
上記構成では、被験者の特定部分の温度が所定時間以上継続して所定温度以下に低下すると、被験者が体調不良であると推定される。また、被験者の特定部分の温度が所定温度以下でないときや、被験者の特定部分が所定温度以下であってもその継続時間が所定時間未満であるときには、被験者が体調不良状態ではないと推定される。
【００１２】
従って、寝不足などにより被験者の特定部分の温度が所定時間以上継続して所定温度以下に低下しているときには、被験者が体調不良状態であると推定される。
【００１３】
また、被験者の体調が良好であり被験者の特定部分の温度が所定温度を超えているときには、被験者が体調不良状態ではないと推定される。
【００１４】
また、緊張や集中などにより被験者の特定部分の温度が所定時間未満の間、所定温度以下に低下しているときには、被験者が体調不良状態ではないと推定される。
【００１５】
また、本発明の第２の態様の体調判定装置は、第１の態様の体調判定装置であって、所定温度は、体調良好状態における被験者の特定部分の温度に基づいて設定される。
【００１６】
上記構成では、体調良好状態における被験者の特定部分の温度に基づいて所定温度が設定される。すなわち、被験者毎の体の温度の個人差に応じて所定温度が設定されるため、被験者が体調不良状態であるか否かが、より適確に推定される。
【００１７】
また、本発明の第３の態様の体調判定装置は、第１の態様の体調判定装置であって、第２の温度検出手段を備える。
【００１８】
第２の温度検出手段は、被験者の体のうち、体調良好状態に対して体調不良状態の温度が低下し難い第２の特定部分の温度を検出する。所定温度は、第２の温度検出手段が検出した第２の特定部分の温度に基づいて設定される。
【００１９】
第２の特定部分は、例えば、額が設定される。ただし、被験者の体のうち、体調良好状態に対して体調不良状態の温度が低下し難い部分であれば、額に限定されるものではない。
【００２０】
上記構成では、被験者の体調良好状態に対して体調不良状態の温度が低下し易い特定部分の温度と比較される所定温度が、その被験者の体調良好状態に対して体調不良状態の温度が低下し難い第２の特定部分の温度に基づいて設定される。
【００２１】
ここで、被験者の体は、特定部分であるか第２の特定部分であるかにかかわらず、気温や湿度など周囲の環境が変化したときにはその変化に応じて温度が略一様に上昇又は低下する。このため、周囲の環境の変化により被験者の特定部分の温度が上昇又は低下したときには、被験者の特定部分の温度と同様に上昇又は低下した所定温度が設定される。
【００２２】
従って、周囲の環境の変化に応じて被験者の特定部分の温度が上昇又は低下したときには、所定温度と特定部分の温度との温度差が維持され、特定部分の温度が所定温度以下になり難い。このため、特定部分の温度が所定温度以下でないこと又は特定部分が所定温度以下であってもその継続時間が所定時間未満であることを条件に、被験者が体調不良状態ではないと推定される。
【００２３】
なお、被験者が発熱したときには、被験者の体は、特定部分であるか第２の特定部分であるかにかかわらず、温度が略一様に上昇する。従って、被験者の周囲の環境の変化が生じた場合と同様に、所定温度と特定部分の温度との温度差が維持され、特定部分の温度が所定温度以下になり難い。このため、特定部分の温度が所定温度以下でないこと又は特定部分が所定温度以下であってもその継続時間が所定時間未満であることを条件に、被験者が体調不良状態ではないと推定される。
【００２４】
また、本発明の第４の態様の体調判定装置は、第３の態様の体調判定装置であって、所定温度は、第２の温度検出手段が検出した第２の特定部分の温度と、体調良好状態における被験者の特定部分及び第２の特定部分の温度に基づいて設定される。
【００２５】
上記構成では、第２の温度検出手段が検出した第２の特定温度に基づいて所定温度が設定されるため、第３の態様の体調判定装置と同様に、周囲の環境の変化に応じて被験者の特定部分の温度が上昇又は低下したときや、被験者が発熱したときには、所定温度と特定部分の温度との温度差が維持され、特定部分の温度が所定温度以下になり難い。
【００２６】
また、体調良好状態における被験者の特定部分及び第２の特定部分の温度に基づいて設定される。これにより、温度検出手段が検出した被験者の特定部分の温度の上昇や低下が、その被験者の体調良好状態における特定部分の温度を使用することにより適確に判るとともに、第２の温度検出手段が検出した被験者の第２の特定部分の温度の上昇や低下が、その被験者の体調良好状態における第２の特定部分の温度を使用することにより適確に判る。従って、所定温度が被験者毎の体の温度の個人差に応じて設定されることによって、被験者が体調不良状態であるか否かが、より適確に推定される。
【発明の効果】
【００２７】
本発明によれば、疾病以外の睡眠不足などによる被験者の体調不良状態を推定することができる。
【図面の簡単な説明】
【００２８】
【図１】本発明の第１の実施形態に係る体調判定装置を示す模式図である。
【図２】図１の体調判定装置を示すブロック図である。
【図３】図１の体調判定装置が実行する処理を示すフローチャートである。
【図４】図３の処理の被験者設定処理を示すフローチャートである。
【図５】図３の処理の所定温度設定処理を示すフローチャートである。
【図６】図３の処理の体調不良状態判定処理を示すフローチャートである。
【図７】本発明の第２の実施形態に係る体調判定装置を示すブロック図である。
【図８】図７の体調判定装置が実行する処理を示すフローチャートである。
【図９】図７の処理の被験者設定処理を示すフローチャートである。
【図１０】図７の処理の基準温度差設定処理を示すフローチャートである。
【図１１】図７の処理の体調不良状態判定処理を示すフローチャートである。
【発明を実施するための形態】
【００２９】
以下、本発明の第１の実施形態を図１〜図６に基づいて説明する。
【００３０】
図１は第１の実施形態に係る体調判定装置を示す模式図であり、図２は図１の体調判定装置を示すブロック図であり、図３〜図６は図１の体調判定装置が実行する処理を示すフローチャートである。
【００３１】
図１及び図２に示すように、第１の実施形態に係る体調判定装置１は、温度センサ２０とコントローラ３０とを備える。また、体調判定装置１は、表示部４０と入力部５０とを備える。
【００３２】
温度センサ２０は、被験者の体のうち特定部分の温度を検出可能なサーモグラフィであり、温度検出手段を構成する。特定部分とは、被験者の体のうち、被験者の体調が良好である体調良好状態に対して被験者の体調が良好でない体調不良状態の温度が低下し易い部分である。本実施形態では、特定部分として、体調良好状態に対して体調不良状態のときに温度が比較的顕著に低下する鼻が設定される。図１に示すように、具体的には、温度センサ２０は、着座した状態の被験者（図１に符号５で示す）の顔に向けて配置され、サーモグラフィで検出した画像を処理することによって、被験者の顔の目の位置を検知して、鼻の位置を推定して鼻の温度を検出する。本実施形態では、鼻と推定した領域の温度を平均したものを鼻の温度として検出する。
【００３３】
体調不良状態とは、疾病以外の睡眠不足などにより特定部分の温度が低下する状態をいう。なお、本実施形態の体調不良状態は、発熱により被験者の特定部分の温度が所定温度を超えている状態を含まない。また、本実施形態の体調良好状態とは、体調不良状態と発熱状態とを除いた状態をいう。
【００３４】
図２に示すように、コントローラ３０は、記憶部３１と被験者設定部３２と所定温度設定部３３と体調不良状態判定部３４とタイマ３７とを備える。
【００３５】
記憶部３１は、被験者の氏名と、被験者の体調良好状態における特定部分の温度の平均値とを関連付けて記憶する。
【００３６】
被験者設定部３２は、被験者設定処理を実行する。被験者設定部は、被験者設定処理において、被験者毎に氏名と、その被験者の体調良好状態における特定部分の温度の平均値とを関連付けて記憶部３１に記憶させる。
【００３７】
所定温度設定部３３は、所定温度を設定する。所定温度は、体調良好状態における被験者の特定部分の温度に基づいて設定される。本実施形態では、所定温度設定部３３は、被験者毎に、体調良好状態における被験者の特定部分の２０分間の温度の平均値よりも２℃低い温度を所定温度として設定する。
【００３８】
体調不良状態判定部３４は、温度判定部３５と体調不良推定部３６とを備え、体調不良状態判定処理を実行する。温度判定部３５は、温度センサ２０が検出した被験者の特定部分の温度が所定温度以下であるか否かを判定する。
【００３９】
タイマ３７は、計時手段を構成し、温度センサ２０が検出した被験者の特定部分の温度が所定温度以下であると温度判定部３５が判定したときに、その継続時間を計測する。また、所定温度設定処理において被験者の体調良好状態を２０分間計測する。
【００４０】
体調不良推定部３６は、体調不良推定手段を構成し、タイマ３７が計測した継続時間が所定時間以上であるときに、被験者が体調不良状態であると推定する。また、体調不良判定部は、タイマ３７が計測した継続時間が所定時間未満であるときや、温度センサ２０が検出した被験者の特定部分の温度が所定温度を超えているときに、被験者が体調不良状態でないと推定する。本実施形態では、所定時間は３０分間に設定される。
【００４１】
表示部４０は、モニタであり、被験者に対して、記憶部３１に記憶された被験者の氏名の一覧を表示したり、質問を表示したりする。入力部５０は、キーボードやタッチパネルであり、被験者による氏名や現在の体調の入力に使用される。また、入力部５０は、被験者によって操作自在な、体調判定処理を開始させるスイッチと体調判定処理を終了させるスイッチとを備える。
【００４２】
以下、図３〜図６に示すフローチャートに従って、本実施形態の体調判定装置１のコントローラ３０が実行する処理を説明する。本処理は、被験者によって体調判定処理を開始させる入力部５０のスイッチが入力されると実行される。
【００４３】
まず、被験者設定処理を実行する（ステップＳ１）。図４に示すように、被験者設定処理では、被験者設定部３２は、被験者が自己の氏名を既に登録している否かを被験者に質問する文章を表示部４０に表示し（ステップＳ２）、自己の氏名を既に登録していると被験者が回答した場合には（ステップＳ３：ＹＥＳ）、登録されている被験者の一覧を表示部４０に表示して（ステップＳ４）、被験者の氏名を被験者に選択させる（ステップＳ５）。また、自己の氏名を未だ登録していないと被験者が回答した場合には（ステップＳ３：ＮＯ）、被験者に氏名の入力を求める文章を表示部４０に表示して被験者に氏名を入力させて（ステップＳ６）、その氏名を登録する。
【００４４】
次に、図３に示すように、被験者設定部３２は、登録された氏名の被験者の体調良好状態における特定部分の温度の平均値を記憶しているか否かを判定し（ステップＳ７）、体調良好状態における特定部分の温度の平均値を記憶していないときには（ステップＳ７：ＮＯ）、被験者に現在の体調が良好であるか否かを質問する文章を表示部４０に表示する（ステップＳ８）。被験者の現在の体調が良好であると被験者が回答した場合には（ステップＳ９：ＹＥＳ）、所定温度設定処理を実行する（ステップＳ１０）。また、被験者の現在の体調が良好でないと被験者が回答した場合には（ステップＳ９：ＮＯ）、本処理を終了する。
【００４５】
図５に示すように、所定温度設定処理では、所定温度設定部３３は、タイマ３７により計時を開始し（ステップＳ１１）、温度センサ２０が逐次検出する被験者の特定部分の温度を取得して記憶する（ステップＳ１２）。次に、ステップＳ１１で計時を開始してから２０分経過していないときには（ステップＳ１３：ＮＯ）、ステップＳ１２の処理を繰り返し、ステップＳ１１で計時を開始してから２０分経過すると（ステップＳ１３：ＹＥＳ）、記憶した２０分間の特定部分の温度の平均値を演算し（ステップＳ１４）、算出した特定部分の平均値を被験者の氏名に関連付けて記憶部３１に記憶させる（ステップＳ１５）。
【００４６】
次に、図３に示すように、ステップＳ７において体調良好状態における特定部分の温度の平均値を記憶しているとき（ステップＳ７：ＹＥＳ）、または所定温度設定処理（ステップＳ１０〜Ｓ１５）を終了したときには、記憶部３１に記憶された体調良好状態における特定部分の温度の平均値よりも２℃低い温度を所定温度として設定し（ステップＳ１６）、体調不良状態判定処理へ移行する（ステップＳ１７）。
【００４７】
図６に示すように、体調不良状態判定処理では、体調不良状態判定部３４は、まず、被験者により体調判定処理を終了させる入力部５０のスイッチが入力されているか否かを判定し（ステップＳ１８）、体調判定処理を終了させる入力部５０のスイッチが入力されていないときには（ステップＳ１８：ＮＯ）、ステップＳ１９へ移行する。また、ステップＳ１８において、体調判定処理を終了させる入力部５０のスイッチが入力されているときには（ステップＳ１８：ＹＥＳ）、本処理を終了する。ステップＳ１９では、体調不良状態判定部３４の温度判定部３５は、温度センサ２０により被験者の特定部分の温度を検出し、次いで、温度センサ２０が検出した被験者の特定部分の温度が所定温度以下であるか否かを判定する（ステップＳ２０）。温度センサ２０により検出した被験者の特定部分の温度が所定温度以下であるときには（ステップＳ２０：ＹＥＳ）、ステップＳ２２における計時を開始しているか否か判定し（ステップＳ２１）、計時が開始されていないときには（ステップＳ２１：ＮＯ）、タイマ３７により計時を開始して（ステップＳ２２）、ステップＳ１８へ戻る。また、ステップＳ２１において計時が開始されていると判定すると（ステップＳ２１：ＹＥＳ）、体調不良推定部３６は、計時してから３０分が経過したか否かを判定し（ステップＳ２３）、計時してから３０分が経過しているときには（ステップＳ２３：ＹＥＳ）、被験者が体調不良状態であると推定し（ステップＳ２４）、ステップＳ１８へ戻る。また、ステップＳ２３において計時してから３０分が経過していないと判定したときには（ステップＳ２３：ＮＯ）、ステップＳ１８へ戻る。また、ステップＳ２０において、温度センサ２０により検出した被験者の特定部分の温度が所定温度を超えているときには（ステップＳ２０：ＮＯ）、ステップＳ２１における計時を開始しているか否か判定し（ステップＳ２５）、計時が開始されているときには（ステップＳ２５：ＹＥＳ）、計時を終了する（ステップＳ２６）。体調不良推定部３６は、ステップＳ２５において計時が開始されていないと判定されたとき（ステップＳ２５：ＮＯ）、またはステップＳ２６において計時を終了したときには、被験者が体調不良状態ではないと推定し（ステップＳ２７）、ステップＳ１８へ戻る。
【００４８】
次に、第１の実施形態の変形例を示す。
【００４９】
本実施形態では、温度センサ２０としてサーモグラフィを使用したが、これに限らず、例えば、接触によって温度を検出する温度計を被験者の皮膚に直接取り付けてもよい。
【００５０】
また、本実施形態では、サーモグラフィによって特定部分と推定した領域の温度を平均したものを特定部分の温度として検出するが、これに限らず、特定部分と推定した領域のうち一箇所の温度を特定部分の温度として検出したり、特定部分と推定した領域のうち複数箇所の温度を特定部分の温度として検出してもよい。
【００５１】
また、本実施形態では、特定部分として鼻が設定されるが、被験者の体のうち、体調良好状態に対して体調不良状態の温度が低下し易い部分であれば、鼻に限定されるものではない。
【００５２】
また、本実施形態では、体調良好状態における被験者の特定部分の温度を、２０分間の平均値によって求めるが、これに限らず、２０分以外の時間の平均値によって求めてもよい。また、体調良好状態における被験者の特定部分の温度を、例えば、１回の検出によって求めたり、複数回の検出に基づいた分散値などを使用して求めてもよい。
【００５３】
また、本実施形態では、被験者の体調良好状態を、被験者の自己申告によって判別するが、これに限らず、例えば、被験者の体調良好状態を長時間（例えば１時間）の特定部分の温度を検出し、検出した温度の変化に基づいて体調良好状態を推定し、推定した体調良好状態における特定部分の温度を所定温度の設定に使用してもよい。
【００５４】
また、本実施形態では、所定温度は、被験者毎に、体調良好状態における被験者の特定部分の平均値よりも２℃低い温度に設定されるが、これに限らず、体調良好状態における被験者の特定部分の平均値から２℃未満低い温度に設定したり、２℃を超える温度に設定してもよい。
【００５５】
また、本実施形態では、温度センサ２０が検出する被験者の特定部分の温度が所定温度以下のときにタイマ３７が計時する所定時間を３０分に設定したが、３０分以外の時間に設定してもよい。
【００５６】
また、本実施形態では、体調良好状態を、体調不良状態と発熱状態とを除いた状態に設定したが、これに限らず、例えば、体調良好状態を発熱状態を含む状態として設定してもよい。
【００５７】
また、本実施形態では、設定された所定温度が変更されないが、これに限らず、例えば、体調不良判定処理において温度センサ２０が検出する被験者の特定部分の温度のうち、体調良好状態と推定されるときの温度を、体調良好状態の特定部分の温度の平均値のデータに加えることによって所定温度を逐次更新してもよい。
【００５８】
また、本実施形態では、所定温度は、体調良好状態における被験者の特定部分の平均値に基づいて設定するが、これに限らず、例えば、体調不良状態における被験者の特定部分の平均値よりも高い温度に設定してもよい。また、所定温度は、体調良好状態における被験者の特定部分の平均値と、体調不良状態における被験者の特定部分の平均値とに基づいて設定してもよい。
【００５９】
また、本実施形態では、所定温度は、被験者毎にその被験者の体の温度に基づいて設定するが、これに限らず、例えば、固定の単一の温度が設定されて被験者を区別せずにその固定の単一の温度を使用してもよい。
【００６０】
また、本実施形態では、被験者の氏名や体調良好状態の特定部分の温度を体調判定装置１が記憶するが、これに限らず、例えば、被験者の氏名や体調良好状態の特定部分の温度を記憶させたＩＤカードを被験者毎に発行し、カードリーダを体調判定装置が備え、ＩＤカードに記憶された情報を読み出す構成であってもよい。
【００６１】
また、体調判定装置１は、環境センサを備えてもよい。環境センサは、被験者の周囲に配置され、例えば、気温や湿度や照度や気圧など、被験者の周囲の環境の状態を検知する。環境センサが検知した環境の状態は、そのときの被験者の特定部分の温度や第２の特定部分との温度に関連付けられて記憶され、温度センサが検出した被験者の特定部分の温度や第２の特定部分の温度が、そのときの環境の状態に基づいて複数の区分に分けられる。具体的には、例えば、気温に応じて、１５℃以下、１５℃を超えて１８℃以下、１８℃を超えて２１℃以下、２１℃を超えて２３℃以下、２３℃を超えて２５℃以下、２５℃を超えた温度の６つの区分に分けられ、体調不良状態判定処理においてそのときの環境の状態の区分における体調良好状態の特定部分の温度の平均値を読み出して使用してもよい。
【００６２】
また、本実施形態では、温度センサ２０が固定されているが、温度センサ２０を移動可能にし、被験者の特定部分が移動した場合には被験者の特定部分を追って温度センサ２０を移動させる駆動部と制御部とを備えてもよい。この場合、例えば、被験者の特定部分が移動していると判定されると、温度センサ２０が検出する温度の取得タイミングを短く設定し、温度センサ２０が検出する検出範囲から被験者の特定部分が離れないように温度センサ２０を移動制御してもよい。
【００６３】
以上説明したとおり、本実施形態では、被験者の特定部分の温度が所定時間以上継続して所定温度以下に低下すると、被験者が体調不良であると推定される。また、被験者の特定部分の温度が所定温度以下でないときや、被験者の特定部分が所定温度以下であってもその継続時間が所定時間未満であるときには、被験者が体調不良状態ではないと推定される。
【００６４】
従って、寝不足などにより被験者の特定部分の温度が所定時間以上継続して所定温度以下に低下しているときには、被験者が体調不良状態であると推定される。
【００６５】
また、被験者の体調が良好であり被験者の特定部分の温度が所定温度を超えているときには、被験者が体調不良状態ではないと推定される。
【００６６】
また、緊張や集中などにより被験者の特定部分の温度が所定時間未満の間、所定温度以下に低下しているときには、被験者が体調不良状態ではないと推定される。
【００６７】
また、体調良好状態における被験者の特定部分の温度に基づいて所定温度が設定される。すなわち、被験者毎の体の温度の個人差に応じて所定温度が設定されるため、被験者が体調不良状態であるか否かが、より正確に推定される。
【００６８】
このように、被験者が体調不良状態であるか否かを推定することができるため、被験者の体調に合わせた環境の制御などを行うことができる。例えば、体調判定装置１を車両に備えて被験者（運転者）を検知する場合には、体調不良状態であると推定したときに、カーナビゲーションによって提供する情報の量を減らしたり、ＡＣＣ（自動追従走行装置）による前方車両との車間距離を通常よりも長い距離に設定したり、音声によって休憩すべき情報を被験者に報知してもよい。また、体調判定装置１によって、パソコンで作業中の被験者を検知する場合には、例えば、被験者が料理のレシピを検索したときに体調不良状態であると推定すると、体調が悪い人用のメニューを優先的に提示するなど、体調に応じた検索結果を表示させてもよい。また、テレビやパソコンを視認している被験者を体調判定装置１によって検知し、被験者が体調不良状態であると推定したときに、テレビやパソコンの照度を変更してもよい。また、室内にいる被験者を体調判定装置１によって検知し、被験者が体調不良であると推定したときには、それに応じて被験者の周囲の環境（気温や照度など）を変更してもよい。また、室内の複数箇所に体調判定装置１を備えるとともに、それぞれの体調判定装置１の情報を共有することによって、被験者が移動した場所（例えば風呂やトイレ）の環境（気温や水温など）を被験者の体調に応じて設定してもよい。
【００６９】
次に、本発明の第２の実施形態を、図７〜図１１に基づいて説明する。
【００７０】
図７は本発明の第２の実施形態に係る体調判定装置を示すブロック図であり、図８〜図１１は図７の体調判定装置が実行する処理を示すフローチャートである。
【００７１】
図７に示すように、第２の実施形態に係る体調判定装置２は、温度センサ２２とコントローラ６０とを備える。また、体調判定装置１は、表示部４０と入力部５０とを備える。第１の実施形態と共通する構成については同一の符号を付してその詳細な説明を省略する。
【００７２】
温度センサ２２は、被験者の体のうち特定部分と第２の特定部分との温度とを検出可能なサーモグラフィであり、温度検出手段及び第２の温度検出手段を構成する。第２の特定部分は、被験者の体のうち、体調良好状態に対して体調不良状態の温度が低下し難い部分である。本実施形態では、特定部分として鼻が設定されるとともに、第２の特定部分として体調良好状態に対して体調不良状態のときに温度が顕著に低下しない額が設定される。具体的には、温度センサは、被験者の顔に向けて配置され、サーモグラフィで検出した画像を処理することによって、被験者の顔の目の位置を検知して、鼻と額との位置を推定して鼻と額との温度を検出する。本実施形態では、鼻と推定した領域の温度を平均したものを鼻の温度として検出し、額と推定した領域の温度を平均したものを額の温度として検出する。
【００７３】
コントローラ６０は、記憶部６１と被験者設定部６２と限界温度設定部６３と体調不良状態判定部６４とタイマ３７とを備える。
【００７４】
記憶部６１は、被験者の氏名と、被験者の基準温度差とを関連付けて記憶する。
【００７５】
被験者設定部６２は、被験者設定処理を実行する。被験者設定部６２は、被験者設定処理において、被験者毎に氏名と基準温度差とを関連付けて記憶部６１に記憶させる。基準温度差とは、体調良好状態における被験者の第２の特定部分の温度の平均値から、体調良好状態における被験者の特定部分の温度の平均値を引いた値である。
【００７６】
限界温度差設定部６３は、基準温度差に２℃加えた温度を限界温度差に設定する。
【００７７】
体調不良状態判定部６４は、体調不良状態判定処理を実行し、所定温度設定部６５と温度判定部３５と体調不良推定部３６とを備える。所定温度設定部６５は、温度センサ２０が検出した被験者の第２の特定部分の温度から限界温度差を引いた温度を所定温度として設定する。
【００７８】
以下、図８〜図１１に示すフローチャートに従って、本実施形態のコントローラ６０が実行する処理を説明する。本処理は、被験者によって体調判定処理を開始させる入力部５０のスイッチが入力されると実行される。
【００７９】
まず、被験者設定処理を実行する（ステップＳ３１）。図９に示すように、被験者設定処理では、被験者設定部６２は、被験者が自己氏名を既に登録しているか否かを被験者に質問する文章を表示部４０に表示し（ステップＳ３２）、自己の氏名を既に登録していると被験者が回答した場合には（ステップＳ３３：ＹＥＳ）、登録されている被験者の一覧を表示部４０に表示して（ステップＳ３４）、被験者の氏名を被験者に選択させる（ステップＳ３５）。また、自己の氏名を未だ登録していないと被験者が回答した場合には（ステップＳ３３：ＮＯ）、被験者に氏名の入力を求める文章を表示部４０に表示して被験者に氏名を入力させて（ステップＳ３６）、その氏名を登録する。
【００８０】
次に、図８に示すように、被験者設定部６２は、登録された氏名の被験者の基準温度差を記憶しているか否かを判定し（ステップＳ３７）、基準温度差を記憶していないときには（ステップＳ３７：ＮＯ）、被験者に現在の体調が良好であるか否かを質問する文章を表示部に表示する（ステップＳ３８）。被験者の現在の体調が良好であると被験者が回答した場合には（ステップＳ３９：ＹＥＳ）、基準温度差設定処理を実行する（ステップＳ４０）。また、被験者の現在の体調が良好でないと被験者が回答した場合には（ステップＳ３９：ＮＯ）、本処理を終了する。
【００８１】
図１０に示すように、基準温度差設定処理では、被験者設定部６２は、タイマ３７により計時を開始し（ステップＳ４１）、温度センサ２２が逐次検出する被験者の特定部分の温度と第２の特定部分の温度とを取得して記憶する（ステップＳ４２）。次に、ステップＳ４１で計時を開始してから２０分経過していないときには（ステップＳ４３：ＮＯ）、ステップＳ４２の処理を繰り返し、ステップＳ４１で計時を開始してから２０分経過すると（ステップＳ４３：ＹＥＳ）、記憶した２０分間の特定部分の温度の平均値と第２の特定部分の温度の平均値とを演算し（ステップＳ４４）、算出した第２の特定部分の温度の平均値から特定部分の温度の平均値を引いた基準温度差を設定して被験者の氏名に関連付けて記憶部６１に記憶させる（ステップＳ４５）。
【００８２】
次に、図８に示すように、ステップＳ３６において基準温度差を記憶しているとき（ステップＳ３７：ＹＥＳ）、または所定温度設定処理（ステップＳ４０〜Ｓ４５）を終了したときには、限界温度差設定部６５は、基準温度差に２℃加えた温度を限界温度差として設定し（ステップＳ４６）、体調不良状態判定処理へ移行する（ステップＳ４７）。
【００８３】
図１１に示すように、体調不良状態判定処理では、体調不良状態判定部６４は、まず、被験者により体調判定処理を終了させる入力部５０のスイッチが入力されているか否かを判定し（ステップＳ４８）、体調判定処理を終了させる入力部５０のスイッチが入力されていないときには（ステップＳ４８：ＮＯ）、ステップＳ４９へ移行する。また、ステップＳ４８において、体調判定処理を終了させる入力部５０のスイッチが入力されているときには（ステップＳ４８：ＹＥＳ）、本処理を終了する。ステップＳ４９では、体調不良状態判定部６４の所定温度設定部６５は、温度センサ２２により被験者の特定部分の温度と第２の特定部分の温度とを検出し、次いで、温度センサ２２が検出した被験者の第２の特定部分の温度から限界温度差を引いた温度を所定温度として設定する（ステップＳ５０）。次に、温度判定部３５は、温度センサ２２が検出した被験者の特定部分の温度が所定温度以下であるか否かを判定する（ステップＳ５１）。温度センサ２２により検出した被験者の特定部分の温度が所定温度以下であるときには（ステップＳ５１：ＹＥＳ）、ステップＳ５３における計時を開始しているか否か判定し（ステップＳ５２）、計時が開始されていないときには（ステップＳ５２：ＮＯ）、タイマ３７により計時を開始して（ステップＳ５３）、ステップＳ４８へ戻る。また、ステップＳ５２において計時が開始されていると判定すると（ステップＳ５２：ＹＥＳ）、体調不良推定部３６は、計時してから３０分が経過したか否かを判定し（ステップＳ５４）、計時してから３０分が経過しているときには（ステップＳ５４：ＹＥＳ）、被験者が体調不良状態であると推定し（ステップＳ５５）、ステップＳ４８へ戻る。また、ステップＳ５４において計時してから３０分が経過していないと判定したときには（ステップＳ５４：ＮＯ）、ステップＳ４８へ戻る。また、ステップＳ５１において、温度センサ２２により検出した被験者の特定部分の温度が所定温度を超えているときには（ステップＳ５１：ＮＯ）、ステップＳ５３における計時を開始しているか否か判定し（ステップＳ５６）、計時が開始されているときには（ステップＳ５６：ＹＥＳ）、計時を終了する（ステップＳ５７）。体調不良推定部３６は、ステップＳ５６において計時が開始されていないと判定されたとき（ステップＳ５６：ＮＯ）、またはステップＳ５７において計時を終了したときには、被験者が体調不良状態ではないと推定し（ステップＳ５８）、ステップＳ４８へ戻る。
【００８４】
次に、第２の実施形態の変形例を示す。
【００８５】
本実施形態では、第２の特定部分として額が設定されるが、被験者の体のうち、体調良好状態に対して体調不良状態の温度が低下し難い部分であれば、額に限定されるものではない。
【００８６】
また、本実施形態では、単一の温度センサ２２によって特定部分の温度と第２の特定部分の温度とを検出するが、これに限らず、特定部分の温度と第２の特定部分の温度とを別の装置によって検出してもよい。
【００８７】
また、本実施形態では、体調良好状態における特定部分の温度と、体調良好状態における第２の特定部分の温度とのそれぞれの平均値を算出し、２つの平均値の差分を算出することによって基準温度差を設定するが、基準温度差を設定するための算出の順序はこれに限らず、特定部分と第２の特定部分との温度差を逐次算出し、逐次算出した温度差の平均値を算出することによって基準温度差を設定してもよい。
【００８８】
また、本実施形態では、基準温度差を設定して基準温度差に基づいて所定温度を設定するが、これに限らず、例えば、体調良好状態における第２の特定部分の温度から温度センサ２２が検出した第２の特定部分の温度を引いた値に基づいて所定温度を設定してもよい。この場合、体調良好状態における特定部分の温度から温度センサ２２が検出した特定部分の温度を引いた値が、所定温度以下であるかに応じて体調不良状態であるか否かを推定してもよい。
【００８９】
また、本実施形態では、体調良好状態における特定部分の温度と第２の特定部分の温度とに基づいて所定温度を設定するが、これに限らず、例えば、温度センサ２２が検出した第２の特定部分の温度から所定値を引いた差分の温度に所定温度を設定してもよい。
【００９０】
また、第２の実施形態では、第１の実施形態の変形例を適用可能である。
【００９１】
以上説明したとおり、本実施形態では、被験者の体調良好状態に対して体調不良状態の温度が低下し易い特定部分の温度と比較される所定温度が、その被験者の体調良好状態に対して体調不良状態の温度が低下し難い第２の特定部分の温度に基づいて設定される。
【００９２】
ここで、被験者の体は、特定部分であるか第２の特定部分であるかにかかわらず、気温や湿度など周囲の環境が変化したときにはその変化に応じて温度が略一様に上昇又は低下する。このため、周囲の環境の変化により被験者の特定部分の温度が上昇又は低下したときには、被験者の特定部分の温度と同様に上昇又は低下した所定温度が設定される。
【００９３】
従って、周囲の環境の変化に応じて被験者の特定部分の温度が上昇又は低下したときには、所定温度と特定部分の温度との温度差が維持され、特定部分の温度が所定温度以下になり難い。このため、特定部分の温度が所定温度以下でないこと又は特定部分が所定温度以下であってもその継続時間が所定時間未満であることを条件に、被験者が体調不良状態ではないと推定される。
【００９４】
なお、被験者が発熱したときには、被験者の体は、特定部分であるか第２の特定部分であるかにかかわらず、温度が略一様に上昇する。従って、被験者の周囲の環境の変化が生じた場合と同様に、所定温度と特定部分の温度との温度差が維持され、特定部分の温度が所定温度以下になり難い。このため、特定部分の温度が所定温度以下でないこと又は特定部分が所定温度以下であってもその継続時間が所定時間未満であることを条件に、被験者が体調不良状態ではないと推定される。
【００９５】
また、体調良好状態における被験者の特定部分及び第２の特定部分の温度に基づいて設定される。これにより、温度センサ２２が検出した被験者の特定部分の温度の上昇や低下が、その被験者の体調良好状態における特定部分の温度を使用することにより適確に判るとともに、温度センサ２２が検出した被験者の第２の特定部分の温度の上昇や低下が、その被験者の体調良好状態における第２の特定部分の温度を使用することにより適確に判る。従って、所定温度が被験者毎の体の温度の個人差に応じて設定されることによって、被験者が体調不良状態であるか否かが、より正確に推定される。
【００９６】
また、第２の実施形態の体調判定装置は、第１の実施形態の体調判定装置と同様の効果を得ることができる。
【００９７】
以上、本発明者によってなされた発明を適用した実施形態について説明したが、この実施形態による本発明の開示の一部をなす論述及び図面により本発明は限定されることはない。すなわち、この実施形態に基づいて当業者等によりなされる他の実施形態、実施例及び運用技術等は全て本発明の範疇に含まれることは勿論であることを付け加えておく。
【符号の説明】
【００９８】
１，２：体調判定装置
２０，２２：温度センサ（温度検出手段，第２の温度検出手段）
３６：体調不良推定部（体調不良推定手段）
３７：タイマ（計時手段）
【図１】
2011125474.tif 000003
【図２】
2011125474.tif 000004
【図３】
2011125474.tif 000005
【図４】
2011125474.tif 000006
【図５】
2011125474.tif 000007
【図６】
2011125474.tif 000008
【図７】
2011125474.tif 000009
【図８】
2011125474.tif 000010
【図９】
2011125474.tif 000011
【図１０】
2011125474.tif 000012
【図１１】
2011125474.tif 000013